(57)【特許請求の範囲】
【請求項１】
長尺に形成され、長手方向に沿って配列された発光素子を有する本体部と、
前記本体部の長手方向の端部を覆うように両端それぞれに配設される口金と、
前記口金の端面より前記本体部と反対方向へ突設するピンと、
すくなくとも前記本体部の両端それぞれに配設される前記口金のいずれか一方に収容され、前記端面より前記本体部と反対方向へ突出するよう可動する係止片と、
を備えたことを特徴とする直管ランプ。
【請求項２】
すくなくとも前記本体部の両端それぞれに配設される前記口金のいずれか一方には、前記ピンが並列するよう配設され、前記発光素子へ電気的に接続することを特徴とする請求項１に記載の直管ランプ。
【請求項３】
前記係止片は、前記端面において前記ピンが並列する方向に対して垂直方向に配設されることを特徴とする請求項２に記載の直管ランプ。
【請求項４】
前記本体部の両端それぞれに配設される前記口金のうち、一端側の口金が並列するように前記ピンを有しており、他端側の口金が前記係止片を有していることを特徴とする請求項２または請求項３のいずれかに記載に直管ランプ。
【請求項５】
前記ピンを並列するように備えた前記口金が、前記係止片を有していることを特徴とする請求項２または請求項３のいずれかに記載に直管ランプ。
【請求項６】
前記係止片は、前記端面において前記ピンより前記発光素子の照射方向側に配設されることを特徴とする請求項１から請求項５のいずれかに記載の直管ランプ。
【請求項７】
請求項１から請求項６のいずれかに記載の直管ランプと、
前記直管ランプの長手方向の両端にそれぞれ配設され、前記ピンが挿入される挿入部、前記ピンが回転する開口部を有する溝部が形成されている一対のソケットと、を有し、前記係止片は前記溝部に挿し込まれることを特徴とする照明器具。
【請求項８】
前記係止片は、前記口金に収容された状態で前記ピンが前記挿入部に挿入され、前記ピンが前記開口部において回転した後に、前記溝部に挿し込まれる、
ことを特徴とする請求項７に記載の照明器具。
【発明の詳細な説明】
【技術分野】
【０００１】
本発明は、直管形ランプおよび直管形ランプが装着される照明器具に関するものである。
【背景技術】
【０００２】
天井照明等に用いられる直管形ランプとして、ＬＥＤ（Ｌｉｇｈｔ  Ｅｍｉｔｔｉｎｇ  Ｄｉｏｄｅ）を光源としたＬＥＤ直管ランプが知られている。ＬＥＤ直管ランプは、発光面の裏側に放熱のためのヒートシンクを備えているものがある。
このようなＬＥＤ直管ランプは、断面においてヒートシンクが配置される側が重くなるため、ランプに偏心が生じる。その為、ＬＥＤ直管ランプをソケットに装着させた後に、振動などの外的要因によりランプが回転してしまい、不点灯や落下の原因となる恐れがある。
【０００３】
そこで、特許文献１に記載の照明器具は、ＬＥＤ直管ランプの落下を防止する為に、ＬＥＤ直管ランプの口金に溝部が形成されており、ソケットには溝部に引っ掛けられる爪部が設けられている。そして、このＬＥＤ直管ランプの溝部にソケットの爪部を嵌め込むことで、ＬＥＤ直管ランプがソケットに装着された後の回転を制御している。
【先行技術文献】
【特許文献】
【０００４】
【特許文献１】特開２０１２−００９３７９号公報
【発明の概要】
【発明が解決しようとする課題】
【０００５】
しかしながら、特許文献１の照明器具は、ソケットがＬＥＤ直管ランプの溝部に挿し込まれる爪部を必要とするものである。その為、爪部を有していない既存のソケットを備えた照明器具にこのＬＥＤ直管ランプを装着させた場合には回転を制御することができない。
【０００６】
そこで、本発明は、上記のような課題を解決する為のものであり、専用なソケットを用いずに、回転を抑制することができる直管ランプを提供することを目的とする。
【課題を解決するための手段】
【０００７】
本発明における直管ランプは、長尺に形成され、長手方向に沿って配列された発光素子を有する本体部と、前記本体部の長手方向の端部を覆うように両端それぞれに配設される口金と、前記端部を覆う前記口金の端面より前記本体部と反対方向へ突設するピンと、すくなくとも前記本体部の両端それぞれに配設される前記口金のいずれか一方に収容され、前記端面より前記本体部と反対方向へ突出するよう可動する係止片と、を備えたことを特徴とするものである。
【発明の効果】
【０００８】
本発明は、専用なソケットを用いずに、回転を抑制することができる直管ランプを提供することができる。
【図面の簡単な説明】
【０００９】
【図１】実施の形態１における照明器具の斜視図である。
【図２】実施の形態１における直管ランプの斜視図である。
【図３】実施の形態１における給電ソケットの斜視図である。
【図４】実施の形態１における給電ソケットの分解斜視図である。
【図５】実施の形態１における保持ソケットの斜視図である。
【図６】実施の形態１における保持ソケットの分解斜視図である。
【図７】実施の形態１における直管ランプの展開図である。
【図８】実施の形態１における図７のＡ-Ａ′断面図である。
【図９】実施の形態１における給電口金の斜視図である。
【図１０】実施の形態１における保持口金の斜視図である。
【図１１】実施の形態１における保持口金の分解斜視図である。
【図１２】実施の形態１における係止片が突出した状態の保持口金の斜視図である。
【図１３】実施の形態１における給電ピンの取付工程図である。
【図１４】実施の形態１における保持ピンの取付工程図である。
【図１５】実施の形態１における保持口金の変形例を示した参考図である。
【図１６】実施の形態１における給電口金の変形例を示した参考図である。
【発明を実施するための形態】
【００１０】
実施の形態１.
実施の形態１では、発明に係るＬＥＤ直管ランプおよび、ＬＥＤ直管ランプが装着された照明器具の一例として、天井に取り付けられる照明器具１に関して説明を行う。
なお、以下の説明において、便宜上、天井面側（被取付面側）を上側とし、床面側（被取付面と反対側）を下側として説明をおこなう。
【００１１】
（照明器具１）
はじめに、照明器具１の構成について説明を行う。図１は実施の形態１における照明器具１の斜視図であり、図２は図１に示すＬＥＤ直管ランプ１００の斜視図である。
照明器具１は、一面が開口した直方体形状であり天井などの被取付部に取り付けられる器具本体１０と、器具本体１０の長手方向における両端側に設置されるソケット２０と、ソケット２０に着脱可能に保持される直管ランプ１００を備えている。
【００１２】
器具本体１０は、一面が開口した直方体形状をしており、開口と対向する面に被取付部に取り付けられる為の取付孔（図示なし）が形成されている。
この器具本体１０の内側には、開口側に広がるように斜めに配設された反射部１１と、ソケット２０を介して直管ランプ２０に電力を供給する点灯装置（図示なし）を備えている。
【００１３】
ソケット２０は、直管ランプ１００を着脱可能に保持しているものであり、器具本体部１０の長手方向における一端側に配設される直管ランプ１００への給電を行う給電ソケット２１と、給電ソケット２１と対向する他端側に配設される保持ソケット２２とを有している。
【００１４】
直管ランプ１００は、発光部分であり長尺形状に形成された本体部１１０と、本体部１１０の長手方向の一端側に配設される給電口金１２０と、給電口金１２０が配設された端部の反対側となる他端側に配設される保持口金１３０を備えている。
また、給電口金１２０はＬ字形状をした一対の給電ピン１２４を有し、保持側口金１３０はＴ字形状をした保持ピンを有している。
【００１５】
（給電ソケット２１）
次に、本実施の形態における給電側ソケット２１の構成について説明を行う。図３は実施の形態１における給電ソケット２１の斜視図であり、図４は図３に示す給電側ソケット２１の分解斜視図である。
なお、直管ランプ１００を器具本体１０に装着した際に直管ランプ１００の給電口金１２０に対向する給電ソケット２１の面を前面と称し、前面の反対側の面を背面と称する。また、器具本体１０に給電ソケット２１を取り付けた際に器具本体１０の開口部を向く給電ソケット２１の面を頂面と称し、頂面の反対側であり被取付部を向く面を底面と称する。更に、給電ソケット２１の前面と底面に対してそれぞれ垂直な面を側面と称する。
【００１６】
給電ソケット２１は、背面が開口した略箱形状の給電ソケット本体２１ａと、本体２１ａの背面を覆う給電ソケットカバー２１ｂと、給電ソケット本体２１ａの内部に配置される回転子２１ｃと一対の接続片２１ｄと、を備える。
なお、給電ソケット本体２１ａ、給電ソケットカバー２１ｂ、回転子２１ｃは、例えば熱可塑性樹脂のポリカーボネイドやポリブチレンテレフタレート等の絶縁材で形成されている。また、一対の接続片２１ｄは、りん青銅などの導通性のある材質により形成されている。
【００１７】
給電ソケット本体２１ａは、背面が開口した略箱形状であって、直管ランプ１００の給電側口金１１０に対向する給電ソケット２１の前面には略円形の開口部２１ａａが形成されており、頂面からはこの開口部２１ａｂと連通する給電挿入部２１ａｂが形成されている。
【００１８】
給電ソケットカバー２１ｂは、給電ソケット本体２１ａの背面の開口を塞ぐように取り付けられるものであり、給電ソケットカバー２１ｂの前面側には、回転子２１ｃを回転自在に保持するための回転保持部２１ｂａが形成されている。
【００１９】
回転子２１ｃは、筒形状であり本体２１ａの回転保持部２１ｂａに回転自在に保持される筒部２１ｃａと、筒部２１ｃａの本体２１ａ側に円板状に形成された接触部２１ｃｂとを備えており、接触部２１ｃｂは給電口金１２０に接触するように開口部２１ａｂに配設されている。
また、回転子２１ｃには、筒部２１ｃａおよび接触部２１ｃｂを二分するように切り欠かれた回転子挿入部２１ｃｃ形成されており、接触部２１ｃｂには前面方向へ突設した突出部２１ｃｄが挿入部２１ｃｃを挟み２箇所形成される。
なお、この突出部２１ｃｄは、回転子２１ｃが給電側ソケット本体２１ａの開口部２１ａｂに配置された状態において、開口部２１ａｂから給電口金１２０側に突出する。
【００２０】
接続片２１ｄは、Ｌ字形状に形成されており、接続端子部２１ｄａと、接続端子部２１ｄａの端部より略垂直に形成された接続固定部２１ｄｂとを備えている。
接続片２１ｄは、接続端子部２１ｄａが給電ソケット本体２１ａの開口部２１ａａの中心点を挟んで対向し、接続固定部２１ｄｂが頂面側に配置されるように給電ソケット２１に収納されている。
また、接続端子部２１ｄａは凹形状に窪んでいる給電ピン受部２１ｄｃが形成されており、接続固定部２１ｄｂは給電ソケット21の図示しない電線挿入孔より挿入された電線を介して図示しない点灯装置と電気的に接続されている。
【００２１】
（保持ソケット２２）
次に、本実施の形態における保持ソケット２２の構成について説明を行う。図５は実施の形態１における保持側ソケット２２の斜視図であり、図６は図５に示す保持側ソケット２２の分解斜視図である。
なお、直管ランプ１００を器具本体１０に装着した際に直管ランプ１００の保持側口金１２０に対向する保持ソケット２２の面を前面と称し、前面の反対側の面を背面と称する。また、器具本体１０に保持ソケット２２を取り付けた際に器具本体１０の開口部を向く保持ソケット２２の面を頂面と称し、頂面の反対側であり被取付部側に向く面を底面と称する。更に、保持ソケット２２の前面と頂面に対してそれぞれ垂直な面を側面と称する。
【００２２】
保持ソケット２２は、保持ソケット本体２２ａと、保持ソケット本体２２ａの背面を覆う保持ソケットカバー２２ｂと、一対の保持片２２ｃとを備える。
なお、保持ソケット本体２２ａ、保持ソケットカバー２２ｂは、例えば熱可塑性樹脂のポリカーボネイドやポリブチレンテレフタレート等の絶縁材で形成されている。
【００２３】
保持ソケット本体２２ａは、背面が開口した箱形状であって、保持口金１３０と対面する保持ソケット前面および頂面には、保持ピン１３３が保持側ソケット２２ａの頂面側から底面側へ挿入されるように形成された挿入溝部２２ａａが形成されている。また、保持ピン１３３は、直管ランプ１００の回転に伴い挿入溝部２２ａａの内側を回転する。
なお、保持ソケット本体２２ａの背面の開口は、保持ソケットカバー２２ｂにより塞がれる。
【００２４】
保持片２２ｃは、保持接触部２２ｃａと、保持接触部２２ｃａから立設する保持固定部２２ｃｂとを有しており、保持接触部２２ｃａが挿入溝２２ａｃを挟んで対向するように保持側ソケット２２に収納されている。
なお、保持部２２ｃは、対向する保持接触部２２ｃａの間隔が拡大するように弾性変形することができるとともに、保持接触部２２ｃａには凹型形状に窪んでいる保持ピン受部２２ｃｃが形成されている。
【００２５】
（直管ランプ１００）
次に、本実施の形態における直管ランプ１００の構成について説明を行う。
図７は図２に示す直管ランプ１００の展開図であり、図８は図７に示すＡ−Ａ′断面詳細図であり、図９は図７に示す給電口金１２０の斜視図であり、図１０は図７に示す保持口金１３０の斜視図である。
直管ランプ１００は、発光部分であり長尺形状に形成された本体部１１０と、本体部１１０の長手方向の一方の端側に配設される給電口金１２０と、本体部１１０の長手方向の他方の端側に配設される保持口金１３０とを備えている。
【００２６】
本体部１１０は、長尺に形成されており、複数の発光素子１１１ａが直線状に実装された基板１１１と、基板１１１の発光素子１１１ａが実装された面と反対の面が当接するヒートシンク１１２と、基板１１１を覆うようにヒートシンク１１２に取り付けられるカバー１１３を備えている。
なお、発光素子１１１ａは、発光ダイオード（ＬＥＤ）であり、電力が供給されることによって発光する。基板１１１には発光素子１１１ａに電力を供給するための回路配線が構成されており、基板１１１の回路配線は給電ピン１２４と電気的に接続されている。
また、ヒートシンク１１２は、アルミニウムなど熱伝導性が高い材料により形成されており、発光素子１１１ａの発光によって発生する熱を放熱している。
【００２７】
給電口金１２０は、絶縁性を有する樹脂材料によって形成されており、筒状の給電周面部１２１と、この給電周面部１２１の一方の端面を閉塞するように形成された給電端面部１２２とを有している。
給電端面部１２２には、直管ランプ１００の管軸（中心軸）を通り径方向に沿って略直方体状に突出する突設部１２３が形成され、この突設部１２３には、管軸を中心として並列した一対の給電ピン１２４が配設されている。
【００２８】
一対の給電ピン１２４は、Ｌ形状をしており、直管ランプ１００の長手方向に沿って突出する脚部１２４ａと、脚部１２４ａの先端から他方の脚部１２４ａに対して互いに離れるように外方向に向けて突出する屈曲部１２４ｂを有する。また、屈曲部１２４ｂが突出する方向は、突設部１２３の長手方向と同じである。
【００２９】
保持口金１３０は、絶縁性を有する樹脂材料によって形成されており、略筒形状をした保持周面部１３１と、この保持側周面部１３１の一方の端面を閉塞するように形成された保持側端面部１３２を有している。この保持端面部１３２には、略Ｔ字形状をした保持ピン１３３が配設されている。
また、保持側口金１３０は、保持周面部１３１および保持端面部１３２に開口する係止溝部１３４が形成されており、係止溝部１３４には直管ランプ１００の軸方向にスライド可能な係止片１３５が配設されている。
なお、この係止溝部１３４と係止片１３４が、直管ランプ１００がソケット２０に装着された際の回転制御機構の役割を果たしている。
【００３０】
保持ピン１３３は、直管ランプ１００の管軸を通り軸方向に突出した軸部１３３ａと、軸部１３３ａの先端から、直管ランプ１００の軸方向に対して垂直な方向の両方に突出して設けられた端部１３３ｂから形成されている。
なお、給電口金１２０、保持口金１３０、給電ピン１２４及び保持ピン１３３の形状は、日本工業規格（以下、ＪＩＳと称する）のＪＩＳＣ７７０９−１で定められているＧＸ１６ｔ−５口金に準じた形状である。
【００３１】
（係止溝部１３４、係止片１３５）
次に、本実施の形態における係止溝部１３４、係止片１３５の構成に関して説明する。図１１は図１０に示す保持口金１３０の分解斜視図であり、図１２は係止片１３４が保持口金１３０より突設した状態を示す斜視図である。
【００３２】
係止溝部１３４は、保持端面部１３２において保持ピン１３３の端部１３３ｂが突出する方向に対して垂直方向に形成されており、保持周面部１３１側に開口する略矩形状をした係止凹部１３４ａと、係止凹部１３４ａの保持ピン１３３側の面に保持ピン１３３の端部１３３ｂの突出方向と略平行に形成された係止爪受部１３４ｂとからなる溝が、ＬＥＤランプ１００の軸方向に形成されている。
また、この係止溝部１３４は、保持周面部１３１において係止凹部１３４ａの側方面に側面凹部１３４ｃが形成されている。
なお、側面凹部１３４ｃは、後述する係止片１３５のスライド動作を制御するものであり、保持端面部１３２側にＬＥＤランプ１００の軸方向に対して略垂直な凹部垂直部１３４ｃａと、凹部垂直部１３４ｃａより保持端面部１３２と離れるよう係止凹部１３４ａ側方に傾斜する凹部傾斜部１３４ｃｂが形成されている。
【００３３】
係止片１３５は、係止溝部１３４にスライド可能に嵌め込まれるようＴ字状に形成され、直方体形状であり係止凹部１３４ａをスライドする係止本体部１３５ａと、この係止本体部１３５ａの対向する側面より互い離れる方向へ突設するとともに、係止爪受部１３４ｂに嵌め込まれる係止爪部１３５ｂとを備えている。係止爪部１３５ｂが係止爪受部１３４ｂに引っ掛かることにより、係止片１３５がＬＥＤランプ１００の管軸に対して周方向へ抜けるのを抑制している。
また、係止本体部１３５ａは、係止爪受部１３４ｂに対して垂直になる側面より突出するようにバネ爪部１３５ｃが配設されている。
【００３４】
バネ爪部１３５ｃは、係止片１３５のスライド移動に伴って弾性変形する略Ｖ字形状のバネであり、先端が係止本体部１３５ａ側面より突き出している。
このバネ爪部１３５ｃは、係止片１３５が係止溝部１３４に収納されている状態では、バネ爪部１３５ｃの先端が係止凹部１３４ａの側方と接触し係止片１３５内側に押圧されている。
また、係止片１３５が係止溝部１３４から所定の長さ突き出している状態では、バネ爪部１３５ｃは側面凹部１３４ｃの内側の突き出し、係止される。
なお、係止片１３５が係止溝部１３４に収納された状態から、保持端面部１３２より所定の長さ突き出している状態へ移動するのに伴い、バネ爪部１３５ｃは係止凹部１３４ａの側方に押圧された状態で摺動した後に、凹部傾斜部１３４ｃｂを摺動しながら押圧状態が解放され、凹部垂直部１３４ｃａに接触し係止される。よって、係止片１３５は保持端面部１３２より所定の長さ突き出した状態で保持される。
【００３５】
（直管ランプ１００の装着方法）
次に、本実施の形態１における直管ランプ１００を照明器具１０に装着する方法について説明する。
図１４は直管ランプ１００の給電ピン１２４を給電ソケット２１に装着される工程を示した工程図であり、図１４の（ａ）は直管ランプ１００と給電ソケット２１が別々の状態であり、図１４の（ｂ）は給電ピン１２４が給電ソケット２１に挿入された状態であり、図１４の（ｃ）は直管ランプ１００が回転された状態である。
また、図１５は直管ランプ１００の給電ピン１２４を保持ソケット２２に装着される工程を示した工程図であり、図１５の（ａ）は直管ランプ１００と保持ソケット２２が別々の状態であり、図１５の（ｂ）は給電ピン１２４が保持ソケット２２に挿入された状態であり、図１５の（ｃ）は直管ランプ１００が回転され、係止片１３５が保持ソケット２２に挿し込まれた状態である。
【００３６】
はじめに、給電側ソケット２１に給電ピン１２４を、保持側ソケット２２には保持ピン１３３を挿入する。
給電ピン１２４は給電側ソケット２１の切欠挿入部２１ａｃより挿入する。このとき、給電側ソケット２１は、回転子２１ｃの回転子挿入部２１ｃｃが切欠挿入部２１ａｃと直線状になるよう配置されている。
また、給電ピン１２４は、一対の屈曲部１２４ｂが切欠挿入部２１ａｃおよび回転子挿入部２１ｃｃと直線状になる向きで、回転子挿入部２１ｃｃまで挿入される。
保持ピン１３３は、保持側ソケット２２の保持側挿入部２２ａｃより挿入する。このとき、保持ピン１３３は、端部１３３ｂの長手方向と、保持側ソケット２２の保持側挿入部２２ａｃが直線状になるよう挿入される。
【００３７】
また、この給電ピン１２４が給電側ソケット２１に挿入され、保持ピン１３３が保持側ソケット２２に挿入された状態であり、切欠挿入部２１ａｃと回転子挿入部２１ｃｃが直線状にある状態を、第一の装着状態とする。
なお、直管ランプ１００のヒートシンク１１２は、短手断面において挿入方向に対して垂直方向に位置する。
【００３８】
次に、直管ランプ１００の管軸（長手方向に平行な中心軸）を回転の軸として、直管ランプ１００を回転させる。また、直管ランプ１００が回転することで、給電側ピン１２４および保持ピン１３３も同様に回転される。
第一の装着状態より直管ランプ１００を回転させると、給電ピン１２４の脚部１２４ａが接続片２１ｄの接続端子部ｄａと当接し、保持ピン１３３の端部１３３ｂが保持片２２ｃの保持バネ部２２ｃｄと当接する。
この状態から、第一の装着状態から９０度回転させることで、給電ピン１２４の脚部１２４ａは一対の接続片２１ｄの接続端子部２１ｄの間隔を拡大する方向に接続端子部２１ｄを弾性変形させるよう可動し、通電金具４２のピン受け部４２ｃに当接する。また、保持ピン１３３の端部１３３ｂは一対の保持片２２ｃの保持ばね部２２ｃｂの間隔を拡大する方向に保持ばね部２２ｃｂを弾性変形させるよう可動し、保持具３２のピン受け部３２ｃに当接する。
【００３９】
直管ランプ１００は第一の装着状態から９０度回転させることで、給電ピン１２４の脚部１２４ａが、接続片２１ｄの挟持力によって給電ピン受け部２２ｃｃに嵌まり込み、給電ピン１２４が給電側ソケット２１に保持される。
また、保持ピン１３３の端部１３３ｂは、保持ばね部２２ｃｂの挟持力によって保持ピン受け部２２ｃｃに嵌まり込み、保持ピン１３３は保持側ソケット２２に保持される。
このように直管ランプ１００を第一の装着状態から９０度回転させ、接続片２１ｄの給電ピン受部２２ｄｃに給電ピン１２４の脚部１２４ａが嵌まり込んだ給電ピン１２４の位置、保持片２２ｃの保持ピン受け部２２ｃｃに保持ピン１３３の端部１３３ｂが嵌まり込んだ保持ピン１３３の位置をそれぞれ第二の装着状態と称する。
【００４０】
また、第二の装着状態では給電ピン１２４は接続片２１ｄと当接しているため、給電ピン１２４と接続片２１ｄは電気的に接続され、発光素子１１１ａに電力を供給され直管ランプ１０は点灯する。
【００４１】
次に、ＬＥＤランプ１００が第二の装着状態において、保持側口金１３０の係止片１３５を可動させる。
第二の装着状態において、保持側口金１３０の係止片１３５の前方には保持側ソケット２２の保持側挿入部２２ａｃが位置している状態である。
この状態において、係止片１３５を係止溝部１３４に沿ってＬＥＤランプ１００の軸方向における前方に移動させる。
係止片１３５は、移動により保持側挿入部２２ａｃに挿入されるとともに、係止片１３５のバネ爪部１３５ｃが係止溝部１３４の側面凹部１３４ｃに係止され、保持側端面部１３２から突き出した状態で保持される。
よって、直管ランプ１００は、直管ランプ１００に回転させる外力が付加されても、保持端面部１３２から突き出した係止片１３５が、保持ソケット２２の保持側挿入部２２ａｃの内側面と接触し、直管ランプ１００の回転を抑制している。
【００４２】
なお、直管ランプ１００を照明器具１０より取り外す場合は、係止片１３５を係止溝部１３４に収容されるよう移動させ、直管ランプ１００を第二の装着状態から第一の装着状態まで可動させることで給電ピン１２４及び保持ピン１３３が給電ソケット２１及び保持ソケット２２より取り外し可能となり、直管ランプ１００は取り外される。
【００４３】
本実施の形態では、直管ランプ１００は、長尺に形成され、長手方向に沿って配列された発光素子１１１ａを有する本体部１１０と、前記本体部１１０の長手方向の端部を覆うように両端それぞれに配設される口金１２０、１３０と、前記端部を覆う前記口金１２０、１３０の端面より前記本体部１１０と反対方向へ突設するピン１２４、１３３と、すくなくとも前記本体部１１０の両端それぞれに配設される前記口金１２０、１３０のいずれか一方に収容され、前記端面より前記本体部１１０と反対方向へ突出するよう可動する係止片１３５とを備えることによって、専用なソケットを用いずに、回転を抑制することができる。
なお、口金とは給電口金１２０および保持口金１３０の両方、またはどちらか一方のことであり。ピンとは給電ピン１２４および保持ピン１３３の両方、またはどちらか一方のことである。
【００４４】
また、本実施の形態では、直管ランプ１００が長尺に形成された本体部１１０と、この本体部１１０の長手方向の一方の端部に配設された給電口金１２０と、給電口金１２０が配設された端部と反端側の端部に配設された保持口金１３０とを備えている。
この給電口金１２０および保持口金１３０にはそれぞれ直管ランプ１００の長手軸方向に沿って外方向へ突出するよう給電ピン１２４および保持ピン１３３が設けられているとともに、保持口金１３３には長手軸方向に沿って移動可能に係止片１３５が配設されていることにより、直管ランプ１００がソケット２０を備えた器具本体１０に装着された際に、直管ランプ１００の回転を制御することができる。
【００４５】
また、本実施の形態では、係止片１３５が保持口金１３３に収容されることにより、直管ランプ１００は器具本体１０に装着される際に、係止片１３５が保持ソケット２２に干渉するのを防止している。
【００４６】
また、本実施の形態では、直管ランプ１００は、係止片１３５が保持ソケット２２の保持ピン１３３が挿入される保持挿入部２２ａａに挿し込まれ、係止される。その為、保持ソケット２２に直管ランプ１００の回転を制御する部材を配設しなくて良く、専用なソケットを用いずに直管ランプ１００の回転を抑制することができる。
【００４７】
なお、本実施の形態では、係止片１３５は係止本体部１３５ａと係止爪部１３５ｂからなるＴ字形状に形成されているが、これには限らない。例えば、図１５に示すようなＬ字形状をした係止片１３５′でも良い係止片の形状はＬＥＤランプ１００の管軸に対して周方向へ抜けないような形状であれば良い。
【００４８】
なお、本実施の形態では、係止片１３５が保持口金１３０に配設されている形態に関して説明したが、これには限らない。例えば、図１６に示すように給電口金１２０′に配設されていても良い。
また、給電口金と保持口金の両方に係止片１３５が配設されていても良く、給電口金と保持口金の両方に係止片１３５が配設されることによって、係止片それぞれの負荷を軽減することができる。
【００４９】
なお、本実施の形態では、照明器具１として直管ランプ１００が２つ配設される２灯式照明器具について説明を行ったが、これには限らない。例えば、照明器具は直管ランプ１００が１つ配設される１灯式の照明器具でもよく、逆富士型をした照明器具であっても良い。
【００５０】
なお、本実施の形態では、直管ランプ１００は、発光ダイオードである発光素子１１１ａを光源としているが、これには限らない。例えば、発光素子は有機エレクトロルミネッセンス（以下、有機ＥＬと称する）を用いた有機ＥＬ素子でも良い。また、直管ランプ１００は、従来直管形ランプに用いられていた蛍光灯であっても良い。
【００５１】
なお、本実施の形態では給電口金１２０、保持口金１３０、給電ピン１２４及び保持ピン１３３の形状は、ＪＩＳＣ７７０９−１で定められているＧＸ１６ｔ−５口金に準じた形状であるが、これに限らない、本発明は、直管形ランプのランプピンが、ソケットに形成されたピン挿入溝を介してソケット内に挿入され、ソケットに保持されるような照明装置であれば適応することができるため、例えば、直管形ランプの口金及びピンの形状がＪＩＳＣ７７０９−１で定められているＧ１３口金、Ｇ５口金でも構わない。
【符号の説明】
【００５２】
１  照明器具、１０  器具本体、１１  反射部、２０  ソケット、２１  給電ソケット、２１ａ  給電ソケット本体、２１ａａ  開口部、２１ａｂ  給電挿入部、２１ｂ  給電ソケットカバー、２１ｂａ  回転保持部、２１ｃ  回転子、２１ｃａ  筒部、２１ｃｂ  接触部、２１ｃｃ  回転子挿入部、２１ｃｄ  突出部、２１ｄ  接続片、２１ｄａ  接続端子部、２１ｄｂ  接続固定部、２１ｄｃ  給電ピン受部、２２  保持ソケット、２２ａ  保持ソケット本体、２２ａａ  保持挿入部、２２ｂ  保持ソケットカバー、２２ｃ  保持片、２２ｃａ  保持接触部、２２ｃｂ  保持固定部、２２ｃｃ  保持ピン受部、１００  直管ランプ、１１０  本体部、１１１  基板、１１１ａ  発光素子、１１２  ヒートシンク、１１３  カバー、１２０  給電口金、１２１  給電側面部、１２２  給電端面部、１２３  突設部、１２４  給電ピン、１２４ａ  脚部、１２４ｂ  屈曲部、１３０  保持口金、１３１  保持周面部、１３２  保持端面部、１３３  保持ピン、１３３ａ  軸部、１３３ｂ  端部、１３４  係止溝部、１３４ａ  係止凹部、１３４ｂ  係止爪受部、１３４ｃ  側面凹部、１３４ｃａ  凹部垂直部、１３４ｃｂ  凹部傾斜部、１３５  係止片、１３５ａ  係止本体部、１３５ｂ  係止爪部、１３５ｃ  バネ爪部。
【図１】
0006524735.tif 000002
【図２】
0006524735.tif 000003
【図３】
0006524735.tif 000004
【図４】
0006524735.tif 000005
【図５】
0006524735.tif 000006
【図６】
0006524735.tif 000007
【図７】
0006524735.tif 000008
【図８】
0006524735.tif 000009
【図９】
0006524735.tif 000010
【図１０】
0006524735.tif 000011
【図１１】
0006524735.tif 000012
【図１２】
0006524735.tif 000013
【図１３】
0006524735.tif 000014
【図１４】
0006524735.tif 000015
【図１５】
0006524735.tif 000016
【図１６】
0006524735.tif 000017